(57)【要約】【課題】伝達関数の推定精度の向上を図る。【解決手段】受信アンテナ２１０で受信された受信信号に基づき、送信装置１００の送信信号候補の中から送信装置１００の送信信号を得る送信信号生成手段と、該得られた送信信号と受信信号とから、伝達関数を算出する伝達関数推定手段と、を備え、送信信号生成手段は、送信信号候補の出現確率に基づき、送信信号候補を重み付けすることを特徴とする。【選択図】図１
2007274089.tif 000002
【特許請求の範囲】
【請求項１】
送信装置の送信アンテナと受信装置の受信アンテナの間の伝送路の伝達関数を推定する伝達関数推定装置において、
前記受信アンテナで受信された受信信号に基づき、前記送信装置の送信信号候補の中から前記送信装置の送信信号を得る送信信号生成手段と、
該得られた送信信号と前記受信信号とから、前記伝達関数を算出する伝達関数推定手段と、を備え、
前記送信信号生成手段は、前記送信信号候補の出現確率に基づき、前記送信信号候補を重み付けする、
ことを特徴とする伝達関数推定装置。
【請求項２】
前記伝達関数推定手段は、前記送信信号に含まれる既知信号に基づいて、前記伝達関数の初期値を算出する、
ことを特徴とする請求項１に記載の伝達関数推定装置。
【請求項３】
前記受信信号の誤り訂正復号過程から得られる復号結果の確からしさを前記出現確率に用いる、
ことを特徴とする請求項１又は２に記載の伝達関数推定装置。
【請求項４】
送信装置の送信アンテナと受信装置の受信アンテナの間の伝送路の伝達関数を推定する伝達関数推定方法であって、
前記送信装置の送信信号候補の出現確率に基づき、前記送信信号候補を重み付けする過程と、
前記受信アンテナで受信された受信信号に基づき、前記重み付けされた送信信号候補の中から前記送信装置の送信信号を得る過程と、
該得られた送信信号と前記受信信号とから、前記伝達関数を算出する過程と、
を含むことを特徴とする伝達関数推定方法。
【請求項５】
前記送信信号に含まれる既知信号に基づいて、前記伝達関数の初期値を算出する過程をさらに含む、
ことを特徴とする請求項４に記載の伝達関数推定方法。
【請求項６】
前記受信信号の誤り訂正復号過程から得られる復号結果の確からしさを前記出現確率に用いる、
ことを特徴とする請求項４又は５に記載の伝達関数推定方法。
【請求項７】
受信アンテナで受信された受信信号に基づき、送信装置の送信信号候補の中から前記送信装置の送信信号を得る送信信号生成手段と、
該得られた送信信号と前記受信信号とから、前記送信装置の送信アンテナと前記受信アンテナの間の伝送路の伝達関数を算出する伝達関数推定手段と、を備え、
前記送信信号生成手段は、前記送信信号候補の出現確率に基づき、前記送信信号候補を重み付けする、
ことを特徴とする受信装置。
【請求項８】
出現確率で重み付けされた送信信号候補の中から受信装置で受信された受信信号に基づき得られた送信信号と、前記受信信号とから算出された伝達関数を用い、無線リソースの割り当てを行うスケジューラを備えたことを特徴とする送信装置。
【発明の詳細な説明】
【技術分野】
【０００１】
本発明は、伝達関数推定装置及び伝達関数推定方法、受信装置、送信装置に関する。
【背景技術】
【０００２】
従来、移動通信システムや無線ローカルエリアネットワーク（無線LAN）システムなどに適用する無線伝送方式として、直交周波数分割多重（Orthogonal Frequency Division Multiplexing：OFDM）方式とMIMO（Multiple Input Multiple Output）方式を組み合わせたMIMO-OFDM方式が知られている（例えば、特許文献１参照）。また、OFDM方式の特徴を利用し、複数のユーザ（端末局）が１OFDMシンボル内の異なるサブキャリアを使い分けることによって複数のユーザと基地局との多元接続を実現する直交周波数分割多元接続（Orthogonal Frequency Division Multiple Access：OFDMA）方式が知られている。OFDM方式では一般的に広帯域の周波数帯を用いるが、ユーザによって環境のよい周波数は異なるため、OFDMA方式では、ユーザ毎に１OFDMシンボル内で環境のよい周波数（サブキャリア）を選択して通信する。そのOFDMA方式とMIMO方式とを組み合わせたMIMO-OFDMA方式が検討されている。
【０００３】
上述のMIMO方式、MIMO-OFDM方式及びMIMO-OFDMA方式においては、「送信アンテナ数×受信アンテナ数」個の伝送路が存在し、それら各伝送路の伝達関数を推定している。
【特許文献１】特開２００５−６５１９７号公報
【発明の開示】
【発明が解決しようとする課題】
【０００４】
しかし、従来の伝達関数推定方法では、その推定精度の向上を図ることは容易ではない。
【０００５】
本発明は、このような事情を考慮してなされたもので、その目的は、伝達関数の推定精度の向上を図ることのできる伝達関数推定装置及び伝達関数推定方法、受信装置を提供することにある。
【０００６】
また、本発明の他の目的は、本発明の受信装置に対応する送信装置を提供することにある。
【課題を解決するための手段】
【０００７】
上記の課題を解決するために、本発明に係る伝達関数推定装置は、送信装置の送信アンテナと受信装置の受信アンテナの間の伝送路の伝達関数を推定する伝達関数推定装置において、前記受信アンテナで受信された受信信号に基づき、前記送信装置の送信信号候補の中から前記送信装置の送信信号を得る送信信号生成手段と、該得られた送信信号と前記受信信号とから、前記伝達関数を算出する伝達関数推定手段と、を備え、前記送信信号生成手段は、前記送信信号候補の出現確率に基づき、前記送信信号候補を重み付けすることを特徴とする。
【０００８】
本発明に係る伝達関数推定装置においては、前記伝達関数推定手段は、前記送信信号に含まれる既知信号に基づいて、前記伝達関数の初期値を算出することを特徴とする。
【０００９】
本発明に係る伝達関数推定装置においては、前記受信信号の誤り訂正復号過程から得られる復号結果の確からしさを前記出現確率に用いることを特徴とする。
【００１０】
本発明に係る伝達関数推定方法は、送信装置の送信アンテナと受信装置の受信アンテナの間の伝送路の伝達関数を推定する伝達関数推定方法であって、前記送信装置の送信信号候補の出現確率に基づき、前記送信信号候補を重み付けする過程と、前記受信アンテナで受信された受信信号に基づき、前記重み付けされた送信信号候補の中から前記送信装置の送信信号を得る過程と、該得られた送信信号と前記受信信号とから、前記伝達関数を算出する過程とを含むことを特徴とする。
【００１１】
本発明に係る伝達関数推定方法においては、前記送信信号に含まれる既知信号に基づいて、前記伝達関数の初期値を算出する過程をさらに含むことを特徴とする。
【００１２】
本発明に係る伝達関数推定方法においては、前記受信信号の誤り訂正復号過程から得られる復号結果の確からしさを前記出現確率に用いることを特徴とする。
【００１３】
本発明に係る受信装置は、受信アンテナで受信された受信信号に基づき、送信装置の送信信号候補の中から前記送信装置の送信信号を得る送信信号生成手段と、該得られた送信信号と前記受信信号とから、前記送信装置の送信アンテナと前記受信アンテナの間の伝送路の伝達関数を算出する伝達関数推定手段と、を備え、前記送信信号生成手段は、前記送信信号候補の出現確率に基づき、前記送信信号候補を重み付けすることを特徴とする。
【００１４】
本発明に係る送信装置は、出現確率で重み付けされた送信信号候補の中から受信装置で受信された受信信号に基づき得られた送信信号と、前記受信信号とから算出された伝達関数を用い、無線リソースの割り当てを行うスケジューラを備えたことを特徴とする。
【発明の効果】
【００１５】
本発明によれば、送信信号候補の出現確率を反映させて伝達関数を算出するので、伝達関数の推定精度の向上を図ることができる。これにより、受信性能の向上に寄与することができる。
また、その伝達関数を用いて無線リソースの割り当てを行うことにより、より実際の伝送路に適応した無線リソース割り当て制御を行うことができる。これにより、無線通信システム全体としての性能の向上を図ることが可能になる。
【発明を実施するための最良の形態】
【００１６】
以下、図面を参照し、本発明の一実施形態について説明する。本実施形態ではMIMO-OFDMA方式の無線通信システムを例に挙げて説明する。
図１は、本発明の一実施形態に係るMIMO-OFDMA方式の無線通信システムの構成を示すブロック図である。図１に示す無線通信システムおいて、送信機１００は、ＮＴ本の送信アンテナ１１０（＃１〜＃ＮＴ）を用いて複数のOFDMA信号を空間多重送信する。各送信アンテナ１１０（＃１〜＃ＮＴ）からは異なったOFDMA信号が送信される。
【００１７】
受信機２００は、ＮＲ本の受信アンテナ２１０（＃１〜＃ＮＲ）を用いて、送信機１００からＮＴ本の送信アンテナ１１０（＃１〜＃ＮＴ）で各々送信されたOFDMA信号を受信する。受信機２００は、受信アンテナ２１０（＃１〜＃ＮＲ）でそれぞれ受信した受信信号（ＮＲ個）から、送信機１００のＮＴ本の送信アンテナ１１０（＃１〜＃ＮＴ）からそれぞれ送信された送信信号（ＮＴ個）を得るための信号分離・検出処理を行う。受信機２００は、信号分離・検出処理により得られた送信信号から、自受信機宛のデータのみを取り出す。
【００１８】
このように、送信側と受信側のそれぞれで複数のアンテナを用いて信号を空間多重するMIMO方式をOFDMA方式に適用することで、OFDMA方式の高速化を図っている。なお、受信側の受信アンテナ２１０については、複数備えることは必須ではなく、少なくとも１つあればよい。
【００１９】
図２、図３は、図１に示す無線通信システムの受信機２００、送信機１００の構成を示すブロック図である。図２には、本発明の一実施形態に係る受信機２００の構成が示されている。図３には、同実施形態に係る送信機１００の構成が示されている。
【００２０】
初めに、図３を参照して、送信機１００を説明する。
送信機１００において、スケジューラ１０１は、複数のユーザ（受信機２００）に対して、各ユーザが要求するQoS（Quality of Service）又は受信機２００から送られた伝達関数に応じた無線送信スケジューリングを行い、各ユーザ宛の情報ビット系列を並び替える。無線送信スケジューリングでは、ユーザ毎に、そのユーザ宛の情報ビットを、どの送信アンテナ１１０から、どのOFDMAシンボルのどのサブキャリアで送信するのかを決定する。受信機２００から送られた伝達関数は、当該ユーザ（受信機２００）と送信機１００のアンテナ間の各伝送路の伝達関数である。
【００２１】
Ｓ／Ｐ変換器１０２は、スケジューラ１０１出力後の情報ビット系列を送信アンテナ１１０の数分のＮＴ個のビット系列に分割する。これ以降は、分割後のビット系列毎に処理される。その各ビット系列の処理は、ＮＴ本の送信アンテナ１１０（＃１〜＃ＮＴ）にそれぞれ接続される送信系統に分けて行われる。
【００２２】
符号化器１０３は、Ｓ／Ｐ変換器１０２による分割後のビット系列を誤り訂正符号化する。その符号化ビット系列は、インタリーバ１０４でインタリーブされる。
【００２３】
OFDMA変調器１０５において、Ｓ／Ｐ変換器１０５１は、インタリーブ後の符号化ビット系列をサブキャリア数（Ｎ個）分に分割する。Ｎ個のサブキャリア変調器１０５２は、そ分割後のビット系列から、それぞれのサブキャリアの変調シンボルを生成する。これにより、Ｎ個のサブキャリアの変調シンボルが生成される。そのＮ個のサブキャリアの変調シンボルは、ＩＦＦＴ１０５３で逆フーリエ変換処理が施され、周波数領域の信号から時間領域の信号に変換される。次いで、その時間領域の信号に対して、ガードインターバル（GI）挿入部１０５４により、その時間信号の後半の一部がGIとして時間信号の前半に付加されて、OFDMAシンボルが生成される。OFDMAシンボルから構成されるOFDMA信号は、波形整形フィルタ１０６で帯域制限のために波形整形され、さらにRF周波数帯に周波数変換された後に、送信アンテナ１１０から送信される。
【００２４】
次に、図２を参照して、受信機２００を説明する。
受信機２００において、ＮＲ本の受信アンテナ２１０（＃１〜＃ＮＲ）で各々受信されたOFDMA信号は、各受信アンテナ２１０に接続されるブランチメトリック生成器２０１（＃１〜＃ＮＲ）で処理される。
【００２５】
受信アンテナ２１０で受信されたOFDMA信号は、ブランチメトリック生成器２０１において、先ず波形整形フィルタ２０１１で波形整形され、さらにGI除去部２０１２でGIが除去される。このGI除去後の信号はＦＦＴ２０１３でフーリエ変換処理が施され、時間領域の信号から周波数領域の信号に変換される。これにより、Ｎ個のサブキャリアの信号が生成される。次いで、サブキャリアの信号は、加算器２０１４により、参照信号生成器２０１６で生成された参照信号が負の信号として加算される（つまり、サブキャリアの信号から参照信号が減算される）。次いで、メトリック計算器２０１５は、加算器２０１４出力後の信号（つまり、サブキャリアの信号と参照信号の差）から、メトリックを計算する。なお、本実施形態では、尤度の一例としてメトリックを用いている。
【００２６】
参照信号生成器２０１６は、最尤検出器２０３から入力される信号候補に対して伝達関数推定器２２１で推定された伝達関数を反映させたものを、参照信号とする。最尤検出器２０３から入力される信号候補は、送信機１００から送信される送信信号の候補である。
【００２７】
上述のブランチメトリック生成器２０１により、Ｎ個のサブキャリア毎に、メトリックが生成される。これにより、各受信アンテナ２１０（＃１〜＃ＮＲ）に接続されるブランチメトリック生成器２０１（＃１〜＃ＮＲ）の各々から、Ｎ個のサブキャリア毎のメトリックが生成される。各メトリックは、線形合成器２０２により、同じサブキャリア毎に線形合成される。その線形合成後のＮ個のサブキャリアのメトリック信号は、最尤検出器２０３に入力される。
【００２８】
最尤検出器２０３は、線形合成後の各サブキャリアのメトリック信号から、サブキャリア毎に最尤推定処理を行う。その最尤推定処理では、送信機１００から送信された各サブキャリアの最も確からしい変調シンボルが、送信候補の各変調シンボルの中から、ＮＴ本の送信アンテナ１１０（＃１〜＃ＮＴ）毎に判定される。その判定結果として得られた、Ｎ個のサブキャリア毎にＮＴ個の変調シンボルは、送信機１００のＮＴ本の送信アンテナ１１０（＃１〜＃ＮＴ）の各々から送信された送信信号として検出される。
【００２９】
また、最尤検出器２０３は、送信候補の各変調シンボルを送信信号候補として出力する。その送信信号候補は、ブランチメトリック生成器２０１の参照信号生成器２０１６で使用される。
【００３０】
最尤検出器２０３から出力された、Ｎ個のサブキャリア毎にＮＴ個の検出信号は、送信アンテナ１１０（＃１〜＃ＮＴ）別に、Ｎ個のサブキャリアの信号に組み分けされて各Ｐ／Ｓ変換器２０４に入力される。Ｐ／Ｓ変換器２０４は、Ｎ個のサブキャリアの信号を一つのビット系列に変換する。次いで、そのビット系列は、デインタリーバ２０５でデインタリーブされてから、復号器２０６で誤り訂正復号化される。これにより、ＮＴ個の復号ビット系列が生成される。
【００３１】
Ｐ／Ｓ変換器２０７は、そのＮＴ個の復号ビット系列を一つのビット系列に変換する。次いで、セレクタ２０８は、Ｐ／Ｓ変換器２０７出力後のビット系列から、自受信機宛のビットを受信ビットとして出力する。
【００３２】
伝達関数推定器２２１は、各受信アンテナ２１０（＃１〜＃ＮＲ）で各々受信されたOFDMA信号と、プリアンブル信号生成器２２３で生成されたプリアンブル信号及び送信信号生成器２２２で生成された送信信号とに基づき、各受信アンテナ２１０（＃１〜＃ＮＲ）と送信機１００の各送信アンテナ１１０（＃１〜＃ＮＴ）との間の各伝送路の伝達関数を推定する。プリアンブル信号は、送信アンテナ１１０（＃１〜＃ＮＴ）毎に、その送信信号に含まれる既知の信号である。プリアンブル信号は、伝達関数の初期値の算出に使用される。送信信号生成器２２２で生成された送信信号は、伝達関数の初期値を基にした伝達関数の更新に使用される。プリアンブル信号生成器２２３で生成されたプリアンブル信号と、送信信号生成器２２２で生成された送信信号とは、スイッチ２２４を介して伝達関数推定器２２１に入力される。スイッチ２２４は、伝達関数推定器２２１に入力する信号を切り替える。つまり、伝達関数の初期値算出時にはプリアンブル信号生成器２２３で生成されたプリアンブル信号を伝達関数推定器２２１に入力し、それ以外の期間には送信信号生成器２２２で生成された送信信号を伝達関数推定器２２１に入力する。
【００３３】
送信信号生成器２２２は、各復号器２０６出力後の復号ビット系列から、送信機１００のＮＴ本の送信アンテナ１１０（＃１〜＃ＮＴ）毎に送信信号を生成する。この送信信号生成処理では、復号ビット系列に基づき、送信候補の各変調シンボルの中から送信信号を判定する。このとき、重み演算部２３０で生成された重みで送信候補の各変調シンボルの重み付けを行い、この重み付けに基づいて送信信号を決定する。
【００３４】
重み演算部２３０は、送信信号候補に関する出現確率から、送信信号候補の重みを算出する。その出現確率としては、ビット単位の値の確からしさであってもよく、或いは、シンボル単位の値の確からしさであってもよい。本実施形態に係る送信信号候補の重み算出処理では、変調シンボルに関する出現確率から、各変調シンボルの重みを算出する。
【００３５】
なお、送信される情報シンボルの出現確率が直接的に分かっていない場合であっても、変調方式が既知であれば、情報ビットの出現確率として得ることができる。また、その情報ビットの出現確率から情報シンボルの出現確率を得るようにしてもよい。
【００３６】
伝達関数推定器２２１によって推定された伝達関数は、送信機１００に送られる。
【００３７】
次に、本実施形態に係る伝達関数推定処理について詳細に説明する。
【００３８】
本実施形態に係る伝達関数推定処理では、既知信号（本実施形態ではプリアンブル信号を用いている）に基づいて推定した伝達関数を初期値とし、既知ではない通信データが載った信号を用いて伝達関数を逐次更新する。本実施形態では、その伝達関数を逐次更新する過程において、情報ビット、あるいは情報シンボルの出現確率を反映させる点を特徴としている。
【００３９】
図２に示す受信機２００において、伝達関数推定器２２１は、当該受信機２００がプリアンブル信号を受信する時には、プリアンブル信号生成器２２３で生成されたＮ個のサブキャリア毎の互いに線形独立なレプリカ（一レプリカは、送信機１００のＮＴ本の送信アンテナ１１０（＃１〜＃ＮＴ）にそれぞれ対応するＮＴ個の要素から構成されるベクトルとして生成される）を入力値とし、該入力値と各受信アンテナ２１０（＃１〜＃ＮＲ）で各々受信されたOFDMA信号との行列演算により、伝達関数の初期値を算出する。
【００４０】
一方、当該受信機２００が実際の通信データが載った信号を受信する時（時刻ｔとする)には、以下の手順で伝達関数を算出する。
先ず、時刻ｔ以前（時刻「t-1」とする）に生成した伝達関数を用いて受信信号を復調し、誤り訂正符号の復号処理を施す。これらの処理は、ブランチメトリック生成器２０１（＃１〜＃ＮＲ）から復号器２０６（＃１〜＃ＮＴ）までの処理に対応する。時刻tにおける受信信号は数１及び数２で表される。また、復調過程で用いられる伝達関数は数３及び数４で表される。
【００４１】
【数１】
2007274089.tif 000003
【００４２】
【数２】
2007274089.tif 000004
【００４３】
【数３】
2007274089.tif 000005
【００４４】
【数４】
2007274089.tif 000006
【００４５】
次いで、送信信号生成器２２２は、その復号結果のデータに対して変調処理を施す。この変調処理の結果として得られた信号、つまり送信信号生成器２２２の出力信号は数５及び数６で表される。送信信号生成器２２２の出力信号は伝達関数推定器２２１に入力される。
【００４６】
【数５】
2007274089.tif 000007
【００４７】
【数６】
2007274089.tif 000008
【００４８】
次いで、伝達関数推定器２２１は伝達関数の更新処理を行う。この更新処理では、数７により、伝達関数を計算する。更新後の伝達関数は、次回の受信信号の復調処理に用いられる。
【００４９】
【数７】
2007274089.tif 000009
【００５０】
本実施形態では、上述の伝達関数更新処理において、情報ビット、あるいは情報シンボルの出現確率を反映させる。この出現確率を反映させる伝達関数計算式は、数８で表される。
【００５１】
【数８】
2007274089.tif 000010
【００５２】
上述の実施形態によれば、送信信号候補の出現確率を反映させて伝達関数を算出するので、伝達関数の推定精度が向上する。その結果として受信性能の向上に寄与することができる。
【００５３】
次に、本実施形態に係る無線スケジューリングについて説明する。
【００５４】
本実施形態に係る無線スケジューリングでは、上述の伝達関数推定処理の結果として得られた伝達関数を用いて無線リソースの割り当てを行うことを特徴とする。
【００５５】
図３に示す、送信機１００において、スケジューラ１０１は、各ユーザが要求するQoS（Quality of Service）又は受信機２００から送られた伝達関数に応じた無線送信スケジューリングを行う。その無線送信スケジューリングでは、ユーザ毎に、そのユーザ宛の情報ビットを、どの送信アンテナ１１０から、どのOFDMAシンボルのどのサブキャリアで送信するのかを決定する。
【００５６】
図４は、本実施形態に係る無線スケジューリングの概念図である。
図４において、送信機１００には、通信相手であるＵ個の受信機２００から、それぞれ伝達関数が送られる。スケジューラ１０１は、それら伝達関数に基づき、Ｕ個の受信機２００の各々に対して、どの送信アンテナ１１０のOFDMAフレーム３００のどのサブチャネル３１０を割り当てるのかを決定する。そのサブチャネル割り当てには、例えば、数９及び数１０で表される条件式を用いることができる。
【００５７】
【数９】
2007274089.tif 000011
【００５８】
【数１０】
2007274089.tif 000012
【００５９】
数９及び数１０の条件式により、送信アンテナ１１０（＃ｎＴ）のｎ番目のサブチャネルが割り当てられる受信機ｕが決定される。
【００６０】
このように、受信機側で推定した伝達関数を送信機側に送り、その伝達関数に基づいて、どの周波数のサブチャネルがどのユーザに適しているのかを判断し、ユーザへのサブチャネル割り当てなどを行う無線スケジューリングにおいて、より実際の伝送路に適応した無線リソース割り当て制御を行うことができる。これにより、無線通信システム全体としての性能の向上を図ることが可能になる。
【００６１】
次に、本発明の他の実施形態を説明する。
【００６２】
図５、図６は、図１に示す無線通信システムの受信機２００、送信機１００として適用可能な受信機２００ａ、送信機１００ａの構成を示すブロック図である。図５には、本発明の他の実施形態に係る受信機２００ａの構成が示されている。図６には、同実施形態に係る送信機１００ａの構成が示されている。
【００６３】
送信機１００ａ及び受信機２００ａでは、誤り訂正符号としてターボ符号を用いる。図６に示されるように、送信機１００ａはターボ符号化器１０３ａを備える。送信機１００ａにおいて、ターボ符号化器１０３ａ以外の構成は、図３の送信機１００と同じである。
【００６４】
また、図５に示されるように、受信機２００ａはターボ復号器２０６ａを備える。そのターボ復号器２０６ａの復号結果である事後値が、送信信号候補の出現確率として重み演算器２３０に入力される。事後値は、復号結果の確からしさを表している。送信信号生成器２２２及びＰ／Ｓ変換器２０７には、その事後値からビット判定した復号データが入力される。なお、受信機２００ａにおいて、ターボ復号器２０６ａに係る部分以外の構成は、図２の受信機２００と同じである。
【００６５】
なお、送信信号候補の出現確率としては、上述の事後値の他、外部値、或いは事後値及び外部値の両方を加味した値を用いるようにしてもよい。
【００６６】
以上、本発明の実施形態を図面を参照して詳述してきたが、具体的な構成はこの実施形態に限られるものではなく、本発明の要旨を逸脱しない範囲の設計変更等も含まれる。
例えば、誤り訂正符号としては、例えば、低密度パリティ検査符号（Low-Density Parity-Check Codes；ＬＤＰＣ符号）を利用するようにしてもよい。
【００６７】
また、上述の実施形態では、MIMO-OFDMA方式を例に挙げて説明したが、本発明はMIMO方式及びMIMO-OFDM方式にも同様に適用することができる。さらには、本発明は、MIMO方式ではない無線通信システムにも適用可能である。
【００６８】
また、本発明は、移動通信システム、無線ＬＡＮシステム、地上波ディジタルテレビジョン放送システム等、各種の無線伝送システムに適用することができる。さらには、光ファイバケーブル等の通信ケーブルを用いた有線の伝送システムにも同様に適用可能である。なお、有線の伝送システムにおいては、送信アンテナは通信ケーブルに信号を送信するものを指し、また、受信アンテナは通信ケーブルから信号を受信するものを指す。
【図面の簡単な説明】
【００６９】
【図１】本発明の一実施形態に係るMIMO-OFDMA方式の無線通信システムの構成を示すブロック図である。
【図２】本発明の一実施形態に係る受信機２００の構成を示すブロック図である。
【図３】同実施形態に係る送信機１００の構成を示すブロック図である。
【図４】本発明の一実施形態に係る無線スケジューリングの概念図である。
【図５】本発明の他の実施形態に係る受信機２００ａの構成を示すブロック図である。
【図６】同実施形態に係る送信機１００ａの構成を示すブロック図である。
【符号の説明】
【００７０】
１００…送信機、１０１…スケジューラ、１１０…送信アンテナ、２００…受信機、２０１…ブランチメトリック生成器、２０２…線形合成器、２０３…最尤検出器、２０４…Ｐ／Ｓ変換器、２０５…デインタリーバ、２０６…復号器、２０６ａ…ターボ復号器、２０７…Ｐ／Ｓ変換器、２０８…セレクタ、２１０…受信アンテナ、２２１…伝達関数推定器、２２２…送信信号生成器、２２３…プリアンブル信号生成器、２２４…スイッチ、２３０…重み演算器、２０１３…ＦＦＴ、２０１４…加算器、２０１５…メトリック計算器、２０１６…参照信号生成器
【図１】
2007274089.tif 000013
【図２】
2007274089.tif 000014
【図３】
2007274089.tif 000015
【図４】
2007274089.tif 000016
【図５】
2007274089.tif 000017
【図６】
2007274089.tif 000018